(57)【要約】【課題】年齢、体格の相違する幼児を複数人乗車させる場合でも同タイプのものを、予め用意しておく個数を少なくし得、かつ幼児を安全、安定に保護し得る自動車用チャイルドシートを提供する。【解決手段】背面基板（１）の左右両側端に沿って、長手状に配置される第１、第２の装着用レール（５、６）を設けるとともに、左右上下端部に、先端に前記第１、第２の装着用レール（５、６）に装着する差込部を有するベルト（８ａ、〜、８ｄ）を備える身体掛け布部（７）を備え、幼児を保護する際に、被保護者の前方に身体掛け布部（７）を装着し、前記ベルト（８ａ、〜、８ｄ）の先端差込部（９ａ、〜、９ｄ）を前記第１の装着用レール（５）と前記第２の装着用レール（６）の適正箇所に装着して、走行中、幼児を安全、安定に保護する。【選択図】図４
0003201419.tif 000002
【実用新案登録請求の範囲】
【請求項１】
シート本体部の左右側端に沿って、長手状に配置される第１の装着用レールと、第２の装着用レールを設けるとともに、
左右上下端部に、先端に前記装着用レールに装着する差込部を有するベルトを備える身体掛け布部を備え、
幼児、子供を保護する際に、被保護者の前方に身体掛け布を配して差込部を前記装着用レールの適正箇所に挿着するようにしたことを特徴とする自動車用チャイルドシート。
【請求項２】
前記第１の装着用レール及び、第２の装着用レールは、前記シート本体部の左右側端前面に装着されたものであることを特徴とする請求項１記載の自動車用チャイルドシート。
【請求項３】
前記第１の装着用レール及び、第２の装着用レールは、前記シート本体部の左右側端側面に装着されたものであることを特徴とする請求項１記載の自動車用チャイルドシート。
【請求項４】
前記シート本体部は、着座用背面部と、着座用底面部とから構成されるものであることを特徴とする請求項１、請求項２又は請求項３記載の自動車用チャイルドシート。
【請求項５】
前記シート本体部は、着座用底面部の上面左右適所に直方体形の穴部を形成すると共に、この直方体形の穴部と同形の直方体を備えたことを特徴とする請求項４記載の自動車用チャイルドシート。
【請求項６】
前記第１の装着用レール及び第２の装着用レールは、それぞれ背面シートに装着する斜辺部又は垂直部と、座面シートに装着する水平部とからなることを特徴とする請求項１記載の自動車用チャイルドシート。
【請求項７】
前記第１の装着用レール及び第２の装着用レールは、前記斜辺部又は垂直部の上端と、前記水平部の前端に、シート本体への装着を行う係止片を備えてなることを特徴とする請求項６記載の自動車用チャイルドシート。
【考案の詳細な説明】
【技術分野】
【０００１】
本考案は、１歳頃から１０歳頃までの幼児、子供が複数人いる場合でも安全、安心に乗車し得る自動車用チャイルドシートに関する。
【背景技術】
【０００２】
従来、幼児、子供を自動車に同伴乗車させる場合に、より安全性を確保するために、自動車の座席に、大人と同様に直接着席させず、予め用意しているチャイルドシートを用いて自動車の座席に着席させるようにしている。
【０００３】
従来、幼児、子供が乗車する際に使用するチャイルドシートとしては、
（１）  新生児から１歳頃までの首のすわらない乳児には、身体全体で衝撃を受けるベッド型のチャイルドシートを使用し、衝撃を広い面積で分散して受けられるように、車の進行方向に対して逆向きに座席に載せるものが使用され、開示されている（例えば特許文献１参照）。
（２）  首が据わるようになってから４歳頃までは、自動車の座席上にベルト等で固定した腰掛タイプのチャイルドシートが使用され、開示されている（例えば特許文献２参照）。
（３）  ６歳から１０歳頃で、上記（２）の幼児用シートでは、もう小さいが、大人用の自動車座席に常時設置のシートベルトでは、ベルトが首に掛かってしまう場合には、座面を高くするシートを座席に敷いて、大人用のシートベルトを使用している。
【先行技術文献】
【特許文献】
【０００４】
【特許文献１】実開平６−３３７２８号公報
【特許文献２】特開２００１−４７９０６号公報
【考案の概要】
【考案が解決しようとする課題】
【０００５】
上記したように、従来、幼児，子供を自動車に同伴乗車させる場合に、新生児から１０歳位までの幼児，子供の体格を考慮して、上記（１）〜（３）に記載のチャイルドシートを選択使用することにより、直接シートに乗車させるより、安全に乗車走行することができる。
【０００６】
しかし、上記した従来のチャイルドシートを用いて幼児，子供を複数人乗車させる場合、例えば新生児、３歳の幼児、９歳の子供を乗車させる場合を想定すると、上記（１）〜（３）に記載のチャイルドシートを、それぞれ用意しておく必要がある、という問題がある。
【０００７】
また、同程度の体格の幼児を３名乗車させる場合には、同タイプのチャイルドシートを３個用意しておく必要がある、という問題がある。
【０００８】
また、同程度の年齢の幼児を３名乗車させる場合に、体格の相違する子がいると、異なるチャイルドシートを使用することが望ましく、この点を考慮すると、異なるタイプのチャイルドシートを３個用意しておくことが望ましい。
【０００９】
また、例えば上記した従来の（１）の乳児、（２）の幼児、（３）の大きな子供を、ときにより、それぞれ３名ずつ乗車させる場合、あるいは適宜の組み合わせで３名乗車させる場合は、同タイプのチャイルドシートを３個ずつ、計９個のチャイルドシートを用意しておくことが望ましい、という問題がある。
【００１０】
本考案は、上記問題点に着目してなされたものであって、年齢、体格の相違する幼児、子供を複数人乗車させる場合であっても、各幼児、子供を安全に乗車させることができ、かつ同タイプのものを複数用意しておく必要がなく、予め用意しておく台数を少なくし得る自動車用チャイルドシートを提供することを目的とする。
【課題を解決するための手段】
【００１１】
上記目的を達成するために、本考案の自動車用チャイルドシートは、シート本体部の左右側端に沿って、長手状に配置される第１の装着用レールと、第２の装着用レールを設けるとともに、左右上下端部に、先端に前記装着用レールに装着する差込部を有するベルトを備える身体掛け布部を備え、幼児、子供を保護する際に、被保護者の前方に身体掛け布を配して差込部を前記装着用レールの適正箇所に挿着するようにしたことを特徴とする。
【００１２】
本考案の自動車用チャイルドシートにおいて、更に具体的に、前記第１の装着用レール及び、第２の装着用レールは、前記シート本体部の左右側端前面に装着されたものであることとしても良い。
【００１３】
また、本考案の自動車用チャイルドシートにおいて、更に具体的に、前記第１の装着用レール及び、第２の装着用レールは、前記シート本体部の左右側端側面に装着されたものであることとしても良い。
【００１４】
また、本考案の自動車用チャイルドシートにおいて、更に具体的に、前記シート本体部は、着座用背面部と、着座用底面部とから構成されるものであることとしても良い。
【００１５】
また、本考案の自動車用チャイルドシートにおいて、更に具体的に、前記シート本体部は、着座用底面部の上面左右適所に直方体形の穴部を形成すると共に、この直方体形の穴部と同形の直方体を備えたものであることとしても良い。
【００１６】
また、本考案の自動車用チャイルドシートにおいて、更に具体的に、前記第１の装着用レール及び第２の装着用レールは、それぞれ背面シートに装着する斜辺部又は垂直部と、座面シートに装着する平面部とからなることとしても良い。
【００１７】
また、本考案の自動車用チャイルドシートにおいて、更に具体的に、前記第１の装着用レール及び第２の装着用レールは、前記斜辺部又は前記垂直部の上端と、前記水平部の前端に、シート本体への装着をおこなう係止片を備えてなるものであることとしても良い。
【考案の効果】
【００１８】
本考案によれば、シート本体部の左右側端に沿って、長手状に配置される第１の装着用レールと、第２の装着用レールを設けるとともに、左右上下端部に、先端に前記装着用レールに装着する差込部を有するベルトを備える身体掛け布部を備え、幼児、子供を保護する際に、被保護者の前方に身体掛け布を配して差込部を前記装着用レールの適正箇所に挿着するように、構成しているので、次の効果を得ることが出来る。
【００１９】
１）  幼児、子供の年齢、体格に応じて、身体掛け布部の各ベルトの差込部を、第１と第２の装着用レールの適正な差込部に差込安定な装着ができるので、年齢、体格の相違する幼児、子供でも、同種のチャイルドシートにより、安定、安全に保持できる。
２）  また、年齢、体格の相違する幼児、子供が複数人（例えば３人）居ても、同種のチャイルドシートを所定個数（例えば３個）用意しておくことにより安価な費用で複数の幼児、子供をチャイルドシートにて安全で、かつ恐怖を与えること無く、安心して同乗させることができる。
【図面の簡単な説明】
【００２０】
【図１】本考案の一実施例形態の自動車用チャイルドシートを示す図であり、（ａ）は同自動車用チャイルドシートの背面基板の平面図、（ｂ）は、同自動車用チャイルドシートの正面図である。
【図２】同実施形態自動車用チャイルドシートの側面図である。
【図３】同実施形態自動車用チャイルドシートの身体掛け布部の平面図である。
【図４】同実施形態自動車用チャイルドシートにおいて、幼児を座らせた状態を例示する正面図である。
【図５】本考案の他の実施形態自動車用チャイルドシートを示す図であり、（ａ）は同自動車用チャイルドシートの背面基板の平面図、（ｂ）は同自動車用チャイルドシートの正面図、（ｃ）は同自動車用チャイルドシートの側面図である。
【図６】本考案の更に他の実施形態自動車用チャイルドシートを示す図であり、（ａ）は同自動車用チャイルドシートの正面図、（ｂ）は同自動車用チャイルドシートの側面図である。
【図７】本考案の更に他の実施形態自動車用チャイルドシートを示す斜視図である。
【図８】同実施形態自動車用チャイルドシートを自動車シートに装着する場合を示す斜視図である。
【図９】同実施形態自動車用チャイルドシートに幼児を座らせた状態を示す斜視図である。
【図１０】同実施形態自動車用チャイルドシートに乳幼児を寝かせた状態を示す斜視図である。
【考案を実施するための形態】
【００２１】
以下、実施の形態により、本考案をさらに詳細に説明する。
図１は、本考案の一実施形態自動車用チャイルドシートのシート部を示す図であり、図１の（ａ）は同チャイルドシートの平面図、図１の（ｂ）は、同チャイルドシートの正面図である。また、図２は、同チャイルドシートの側面図である。さらに図３は、同チャイルドシートのシートに装着する身体掛け布部の平面図である。
【００２２】
この実施形態自動車用チャイルドシートのシート部は、直方体状の背面基板１と、この背面基板１の下部前面に配置される直方体状の座部基板２と、から構成されている。このチャイルドシートのシート部の外観全体形状自体は、通常の自動車用シートと特に変わるところはない。
【００２３】
上記背面基板１の前面左右両側端に、溝３、４が設けられており、この溝３、４に、長手状の装着用レール５、６が設けられている。この装着用レール５、６には、長溝５ａ、６ａが形成されており、この長溝５ａ、６ａに、図３に示す、左右上下端部に、先端に差込部９ａ、９ｂ、９ｃ、９ｄを有するベルト８ａ、８ｂ、８ｃ、８ｄを接続してなる身体掛け布部７の各ベルト８ａ、８ｂ、８ｃ、８ｄの先端差込部９ａ、９ｂ、９ｃ、９ｄを挿脱するように構成されている。
【００２４】
また、座部基板２の上面に、座部基板２の上面中心から所定距離をおいて、直方体形状の穴部１０ａ、１０ｂが設けられ、さらに、この穴部１０ａ、１０ｂに、収納し得る直方体１１ａ、１１ｂが設けられている。この直方体１１ａ、１１ｂは、通常は、穴部１０ａ、１０ｂに収納された状態であり、通常、大人が着席する乗用車の座席と外観は、特に変わるところはない。
【００２５】
この実施形態自動車用チャイルドシートを、普通乗用車で例えば、３人の幼児を乗車させることも考慮して、後部座席として３席設けると良い。この想定で、後部座席に、大人２人に、小さい幼児１人が乗車する場合には、大人については、身体掛け布部７を使用することなく、座席にそのまま乗車してもよいし、身体掛け布部７を使用しても良い。
【００２６】
小さい幼児の場合は、図４に示すように、幼児を座部基板２の直方体１１ａ、１１ｂを基板２上面に起こして、両者を対面設置した状態とし、ここに幼児を座らせ、幼児の足先を穴部１０ａ、１０ｂに挿入して、下半身を座部基板２上の直方体１１ａ、１１ｂ上に着席させる。
【００２７】
そして、身体掛け布部７を、両肩の下に挟み込むように装着させ、右側のベルト８ａ、８ｂと、左側のベルト８ｃ、８ｄの、先端差込部９ａ、９ｂと９ｃ、９ｄを、装着用レール５と６の長溝５ａと６ａに、幼児の背に応じた低い位置の穴に挿入し、差込部９ａ、９ｂのボタンを操作して、固定装着する。
【００２８】
子供が６〜１０歳程度等で、図４に示した幼児よりかなり大きい体格の場合は、図４に示した状態の座部基板２の直方体１１ａ、１１ｂを基板２の穴部１０ａ、１０ｂに戻した状態とし、座部基板２の上面を平面とした状態で、子供を座部基板２の上に腰を掛けさせ、両足を座部基板２の前面下に降ろすように座らせる。
【００２９】
身体掛け布部７は、小さい幼児の場合と同様に、両肩の下に挟み込むように装着させ、右側のベルト８ａ、８ｂと左側のベルト８ｃ、８ｄの先端差込部９ａ、９ｂと９ｃ、９ｄを、装着用レール５と６の長溝５ａと６ａに、幼児の背に応じた高さの位置の穴に挿入し、差込部９ａ、９ｂ及び９ｃ、９ｄのボタン操作によりベルト８ａ、〜、８ｄを装着用レール５、６に固定装着する。
【００３０】
次に、他の実施形態自動者用チャイルドシートとして、図１、図２に示すものと同様、シート部が直方体状の背面基板１と、この背面基板１の下部前面に配置される直方体形状の座部基板２とから構成されるものにおいて、図５に示されるように背面基板１の側面左右両側端に溝３、４が設けられており、この溝３、４に長手状の装着用レール５、６を設けても良い。
【００３１】
また、図１、図２に示すものは、座部基板２に、穴部１０ａ、１０ｂと、この穴部１０ａ、１０ｂに収納し得る直方体１１ａ、１１ｂが設けられているが、これに代えて図５における座部基板２は、穴部１０ａ、１０ｂ、直方体１１ａ、１１ｂを設けないシンプルな座部基板としても良い。
【００３２】
この実施形態自動車用チャイルドシートにおいては、背面基板１の側面両側端に溝３、４を設けるとともに、座部基板２は、シンプルな平板状に形成しているので、このチャイルドシートを使用しない場合、つまり、大人、チャイルドシートを必要としない子供のみが乗車する場合は、何らチャイルドシートの身体掛け布部７を備えることなく自動車を使用できるという利点がある。
【００３３】
また、上記実施形態自動車用チャイルドシートにおいて、座部基板２に直方体形状の穴部１０ａ、１０ｂと、この収納窓部に収納し得る直方体１１ａ、１１ｂを備えるようにし、また、背面基板１の左右両側面、または左右両側端側面に溝３、４を設け、この溝３、４の長手状方向に装着用レール５、６を設けるようにしているが、さらにこれに加えて、図６（ａ）、（ｂ）に示すように背面基板１と座部基板２を一体的に構成しても良い。なお、図６（ａ）、（ｂ）において、背面基板１の上部には、軸棒２４ａ、２４ｂにより装着されたヘッドレスト２５が設けられている。
【００３４】
次に、さらに他の実施形態自動車用チャイルドシートとして、図１、図２に示すものと相違して、背面基板、座部基板が自動車シートとは、独立した態様のものである自動車用チャイルドシートについて説明する。
【００３５】
この実施形態自動車用チャイルドシートは、図７に示すように、それぞれ斜辺部２１ａと水平部２１ｂ、斜辺部２２ａと水平部２２ｂと、からなる帯状基板２１、２２が、上下で連結部材２３ａ、２３ｂで連結されてなり、この帯状基板２１、２２に、上記図１の基板１の側端に設けられたと同様の溝３，４に長辺状の装着用レール５，６が設けられている。
なお、上部連結部２３ａ、下部連結部２３ｂには、自動車座席に容易に装着できるように内方向に湾曲した係止片が形成されている。
【００３６】
このチャイルドシートには、図１〜図３に示した実施形態と同様、図３に示した身体掛け布７を用いて、幼児を安全、安定に着席させることができる。この実施形態チャイルドシートを自動車に搭載して幼児を着席乗車させる場合には、人数分のチャイルドシートを例えば図８に示すように、チャイルドシート２０の上部連結材２３ａ、下部連結材２３ｂにより、それぞれ自動車座席３０の着席すべき座席の上端部３１ａ、下端前部３１ｂに装着しておく。
【００３７】
図８において、右側のチャイルドシート２０は、これから自動車座席３０に装着するために、矢印の方向に移動させる状態にあることを例示しており、左側のチャイルドシート２０は、すでに自動車座席３０に装着されたものである。
【００３８】
この実施形態に係る自動車用チャイルドシートにおいて、幼児を乗車着席させる場合は、図９に示すように、チャイルドシート２０を自動車座席３０に装着させた状態で、幼児をチャイルドシート２０に座らせ、身体前に身体掛け布部７を被せて、ベルト８ａ、８ｂを斜辺部２１ａ、水平部２１ｂの装着用レール５に、ベルト８ｃ、８ｄを斜辺部２２ａ、水平部２２ｂの装着用レール６に、それぞれ接続し乗車着席させる。
【００３９】
なお、この実施形態において、赤子を図９に示す幼児と同様に着席させることができるが、赤子が非常に小さな乳児であり、座らせた場合に頭が不安定となる場合には、図１０に示すように乳幼児をチャイルドシート２０の水平部２１ｂ、２２ｂ間に寝かせ、身体掛け布部７を被せてベルト８ａ，８ｂを水平部２１ｂの装着用レール５に、ベルト８ｃ、８ｄを水平部２２ｂの装着用レール６に、ベルト８ｅを連結部材２３ｂに設けた連結穴２３ｃに装着し、乗車着席させる。
【００４０】
また、図１０において、チャイルドシート２０は、図８に示すと同様に、連結部材２３ａ、２３ｂで座席上端部３１ａと座席下端部３１ｂに装着するようにしているが、装着する座席シートが図６に示すような軸棒２４ａ、２４ｂを有するヘッドレスト２５を備えるものである場合には、上部連結部材２３ａに穴２６ａ、２６ｂを設け、これにヘッドレスト２５の軸棒２４ａ、２４ｂを通し、チャイルドシート２０を自動車座席３０に固設するようにしても良い。
【００４１】
この実施形態によれば、乗用車の座席そのものは、格別の構造をしていない場合でも、乗車させる幼児の人数分さえ容易しておけば充分であり、安心して幼児を乗車させることができる。
【符号の説明】
【００４２】
１  背面基板
２  座部基板
３、４  溝
５、６  装着用レール
７  身体掛け布部
８ａ、８ｂ、８ｃ、８ｄ  ベルト
９ａ、９ｂ、９ｃ、９ｄ  差込部
１０ａ、１０ｂ、１０ｃ、１０ｄ  穴部
１１ａ、１１ｂ、１１ｃ、１１ｄ  直方体
２０  チャイルドシート
２１、２２  帯状基板
２１ａ、２２ａ  斜辺部
２１ｂ、２２ｂ  水辺部
２３ａ、２３ｂ  連結部材
２４ａ、２４ｂ  軸棒
２５  ヘッドレスト
２６ａ、２６ｂ  穴
３０  自動車座席
３１ａ  座席上端部
３１ｂ  座席下端前
【図１】
0003201419.tif 000003
【図２】
0003201419.tif 000004
【図３】
0003201419.tif 000005
【図４】
0003201419.tif 000006
【図５】
0003201419.tif 000007
【図６】
0003201419.tif 000008
【図７】
0003201419.tif 000009
【図８】
0003201419.tif 000010
【図９】
0003201419.tif 000011
【図１０】
0003201419.tif 000012